(57)【要約】【課題】遊技機のフロントドアーに設置された液晶ディスプレイが、フロントドアーの開閉によって容易に破損しないような液晶ディスプレイの取り付け構造を提供する。【解決手段】液晶ユニット５１は側面に突起部５１Ａ〜５１Ｄを二対有している。突起部５１Ａ〜５１ＤはＵ字状に切り欠かれた溝５１１〜５１４が形成されている。溝５１１〜５１４に緩衝部材５５が挟まれるように取り付けられる。緩衝部材５５は段付きねじ５６で内枠５４に弾性支持される。内枠５４はドアー３の構成品となる外枠３１に取り付けられる。ドアー３を開閉するときの衝撃力によるエネルギーを緩衝部材５５で吸収して液晶ユニット５１に伝わるのを緩和できる。そして、液晶ユニット５１の破損を防止することができる。【選択図】      図３
2004223173.tif 000002
【特許請求の範囲】
【請求項１】
側面に少なくとも一つの突起部を有している液晶ユニットと、
前記液晶ユニットの前記突起部を保持している少なくとも一つの緩衝部材と、
前記緩衝部材を固定している枠体と、
を備えているドアーを有していることを特徴とする遊技機。
【請求項２】
前記液晶ユニットの前記突起部は、前記緩衝部材を挟んでいることを特徴とする請求項１に記載の遊技機。
【請求項３】
前記緩衝部材の外表面には、前記液晶ユニットの前記突起部に挟まれるための溝が形成されていることを特徴とする請求項２に記載の遊技機。
【請求項４】
前記枠体は、内枠と、外枠と、を有しており、前記緩衝部材は内枠に固定されていることを特徴とする請求項１、２又は３に記載の遊技機。
【請求項５】
前記ドアーが、前記液晶ユニットの前面に配置される透明部材を更に有していることを特徴とする請求項１から４の何れかに記載の遊技機。
【請求項６】
前記透明部材はガラス板又はタッチパネルであることを特徴とする請求項５に記載の遊技機。
【請求項７】
中央に開口部が形成されているカバーが前記枠体に固定されていることを特徴とする請求項１から６の何れかに記載の遊技機。
【発明の詳細な説明】
【０００１】
【発明の属する技術分野】
本発明は、液晶ユニットを備える遊技機に関するものである。
【０００２】
【従来の技術】
近年、パチンコ、スロット遊技機等の遊技機が流行しており、各遊技機メーカにより様々な形の遊技機が開発されている。
【０００３】
このような遊技機には、その筐体に表示部が備えられており、この表示部に遊技の内容を示す画像や、演出を行うための画像等、様々な画像が表示される。このように、遊技機の表示部は、遊技機には必要不可欠のものとなっている。
【０００４】
表示部には、ブラウン管を使用したＣＲＴ（Ｃａｔｈｏｄｅ  Ｒａｙ  Ｔｕｂｅ）ディスプレイや、ＳＴＮ（Ｓｕｐｅｒ−Ｔｗｉｓｔｅｄ  Ｔｒａｎｓｉｓｔｏｒ）方式、ＴＦＴ（Ｔｈｉｎ  Ｆｉｌｍ  Ｔｒａｎｓｉｓｔｏｒ）方式等の各種の液晶ディスプレイが用いられている。前述のディスプレイは、遊技機における筐体の内側に凸形状に取り付けられるので、遊技機内の部品実装空間を確保するためにも薄型の液晶ディスプレイが主流となっている（例えば、特許文献１参照）。
【０００５】
また、図４はスロット遊技機における従来の表示部の要部断面図である。
【０００６】
図４を用いてスロット遊技機における従来の表示部８０の詳細について説明する。
【０００７】
フロントドアーには、表示部８０が備えられており、各種の演出画像が表示される。
【０００８】
この表示部８０は、遊技者により触接された座標位置を検出するタッチパネル８１、及び保護カバーである透明アクリル板８２の内面側に、透明フィルム材に種々の絵柄が印刷された絵柄シート８３と、ＩＴＯなどの透明液晶表示装置から構成される液晶表示装置８４と、が枠体８Ａに積層されている。
【０００９】
また、この液晶表示装置８４の上方及び下方には、液晶表示装置８４のバックライトとしての照明装置の役割を果たす液晶バックライト８４Ａが設けられている。また、この液晶バックライト８４Ａは、電源供給時においては、点灯するように制御されている。このため、液晶バックライト８４Ａを常時電源供給時において常時駆動させることにより、液晶表示装置８４に表示される画像を遊技者に対して明瞭に視認可能とさせる。この液晶バックライト８４Ａは、主として冷陰極管が採用されている。
【００１０】
更には、表示部８０の内面側上部、及び下部には、リール９１上の図柄を照らし出す照明装置の役割を果たす図柄照明用ランプ８５が設けられている。また、この図柄照明用ランプ８５は、電源供給時においては、点灯するように制御されている。このため、図柄照明用ランプ８５を常時駆動させることにより、図柄を明瞭に視認させることが可能である。
【００１１】
個々の表示要素の作用としては、絵柄シート８３に描かれる図柄は、スロット遊技機の演出制御状態に左右されず、常に遊技者に視認される。液晶表示装置８４は、大当たり演出や、各種予告演出などの画像演出の表示領域である。
【００１２】
また、リール９１の前面近傍には、リールバックランプを装着したランプハウジング９２が備えられている。
【００１３】
さらに、近年では液晶ディスプレイの大型品が量産可能になってきており、この大型液晶ディスプレイによって、遊技のスコアや演出を補助的に表示するのみならず、機械式のリールによる図柄表示に代えて、遊技の中心となる図柄の組み合わせを表示できるようになってきている。
【００１４】
【特許文献１】
特開２００２−２７２９０３号公報（図１参照）
【００１５】
【発明が解決しようとする課題】
このような表示部は、遊技機の中でも、遊技者が最も見やすい位置に配置されるものであり、例えば一般のスロットマシンであれば、遊技者にもっとも近いフロントドアーに表示部が設置される場合が多い。
【００１６】
しかしながら、液晶ディスプレイはガラス等の薄板に電極や液晶膜を挟んだものであり、捩れや歪みの力に弱く、このような力が加わると容易に壊れやすいものである。
【００１７】
図４において示された液晶表示装置８４は表示面積の割合に比べて厚みがないので、液晶表示装置８４に加わる捩れや歪みの力は特に考慮する必要がある。
【００１８】
この一方で、遊技機のフロントドアーは、ヒンジ機構で本体筐体に取り付けられる枠体に、表示部やその制御部そして遊技機の操作部やパネルといったものが設置される平板的な構造を持つものであり、フロントドアーが開けられた状態では、フロントドアー自体の重量や外部からの力によってその形状が、捩れたり、歪んだりし易い。
【００１９】
しかも、フロントドアーは、遊技機の動作を設定したり、内部にたまったメダルを取り出したりといった通常の保守のため頻繁に開閉されるものであり、相当の重量を有するフロントドアーが開閉されるときの衝撃力は、遊技機の筐体のみならずフロントドアー自身にも伝わる。そして、フロントドアーに設置された表示部が液晶ディスプレイであった場合には、容易に破損してしまうという問題があった。
【００２０】
図４に示された液晶表示装置８４は、その表示面は例えば、２０インチであり、このような大型表示面積になるほど衝撃力に考慮する必要があり、その対策は最大表示面積の液晶ディスプレイを視野にいれたものでなくてはいけない。
【００２１】
本発明は、かかる問題に鑑みてなされたものであり、遊技機のフロントドアーに設置された液晶ディスプレイが、フロントドアーの開閉によって容易に破損しないような液晶ディスプレイの取り付け構造を提供することを目的とする。
【００２２】
【課題を解決するための手段】
本発明は、より具体的には以下のようなものを提供する。
【００２３】
（１）  側面に少なくとも一つの突起部を有している液晶ユニットと、前記液晶ユニットの前記突起部を保持している少なくとも一つの緩衝部材と、前記緩衝部材を固定している枠体と、を備えているドアーを有していることを特徴とする遊技機。
【００２４】
（１）の発明によれば、「側面に少なくとも一つの突起部を有している液晶ユニットと、前記液晶ユニットの前記突起部を保持している少なくとも一つの緩衝部材と、前記緩衝部材を固定している枠体と、を備えているドアーを有している」ので、ドアーを開閉するときの衝撃力によるエネルギーを緩衝部材で吸収して液晶ユニットに伝わるのを緩和できる。そして、液晶ユニットの破損を防止する。
【００２５】
（２）  前記液晶ユニットの前記突起部は、前記緩衝部材を挟んでいることを特徴とする（１）に記載の遊技機。
【００２６】
（２）の発明によれば、「前記液晶ユニットの前記突起部は、前記緩衝部材を挟んでいる」ので、液晶ユニットをドアーに組み立てる際には、液晶ユニットにおける突起部に予め緩衝部材が挟まれているので、組み立て容易となる。
【００２７】
（３）  前記緩衝部材の外表面には、前記液晶ユニットの前記突起部に挟まれるための溝が形成されていることを特徴とする（２）に記載の遊技機。
【００２８】
（３）の発明によれば、「前記緩衝部材の外表面には、前記液晶ユニットの前記突起部に挟まれるための溝が形成されている」ので、緩衝部材を突起部に組み立てる際には、緩衝部材に形成されている溝に案内されて突起部に挟まれるので、組み立て容易となる。さらに、液晶ユニットがドアーに組み立てられた状態では、衝撃や振動が液晶ユニットに直接伝達することを緩衝部材で緩和できる。
【００２９】
（４）  前記枠体は、内枠と、外枠と、を有しており、前記緩衝部材は内枠に固定されていることを特徴とする（１）、（２）又は（３）に記載の遊技機。
【００３０】
（４）の発明によれば、「前記枠体は、内枠と、外枠と、を有しており、前記緩衝部材は内枠に固定されている」ので、緩衝部材つき液晶ユニットを予め内枠に固定して組み立てることができ、さらに、前記内枠をドアーの前面から取り付けることができ、組み立て容易となる。そして、内枠をドアーに取り付けた状態では、枠体は内枠と外枠との二重囲み構造となり、捩れや歪に対してドアーの強度が増すことになる。
【００３１】
（５）  前記ドアーが、前記液晶ユニットの前面に配置される透明部材を更に有していることを特徴とする（１）から（４）の何れかに記載の遊技機。
【００３２】
（５）の発明によれば、「前記ドアーが、前記液晶ユニットの前面に配置される透明部材を更に有している」ので、液晶ユニットに物品が直接接触することを防止できる。そして、透明部材なので、液晶ユニットの表示を妨げることがない。
【００３３】
（６）  前記透明部材はガラス板又はタッチパネルであることを特徴とする（５）に記載の遊技機。
【００３４】
（６）の発明によれば、「前記透明部材はガラス板又はタッチパネルである」ので、ガラス板の場合は安価に部材が入手できる。タッチパネルの場合はスイッチの機能を付加することができる。
【００３５】
（７）  中央に開口部が形成されているカバーが前記枠体に固定されていることを特徴とする（１）から（６）の何れかに記載の遊技機。
【００３６】
（７）の発明によれば、「中央に開口部が形成されているカバーが前記枠体に固定されている」ので、枠体にカバーを直接固定することにより部品点数を少なくすることができる。
【００３７】
【発明の実施の形態】
以下に、本発明の実施の形態について図面に基づいて説明する。尚、本実施の形態は、本発明をスロットマシンに適用して説明するが、本発明はこれに限らず、ビデオ遊技機、メダル遊技機、カード遊技機等、各種の遊技機に採用することができる。
【００３８】
次に、スロットマシンの構成を説明する。
【００３９】
図１はスロットマシン１の斜視図である。スロットマシン１は、キャビネットとなる筐体２の開口部にドアー（フロントドアー）３が例えば、ヒンジ機構で開閉自在に設けられている。また、筐体２の上部にトップフレーム４が取り付けられている。トップフレーム４の正面には化粧パネル板が施されている。
【００４０】
遊技情報を表示する液晶ディスプレイ５はドアー３に設置される。液晶ディスプレイ５の主構成品となる液晶ユニット５１は、開口部が形成されているカバー５２で被われている。さらに、液晶ユニット５１を保護するための透明部材５３が液晶ユニット５１の前面に取り付けられている。
【００４１】
ドアー３の正面中央部には突出する形で操作部６が配置されている。操作部６の左側の傾斜面には、各種操作ボタンが配列されると共にメダルを投入するメダル投入口が備えられている。操作部６の右側には、筐体２内に収納される紙幣識別機（ビルバリデータ）に紙幣を案内するための紙幣案内部が備えられている。
【００４２】
操作部６の下部には、ドアー３と開閉自在に連結する扉体７が設けられている。扉体７には化粧パネル板が施されている。扉体７の下部であって、ドアー３の底部にはメダルを収容するメダル受け皿３０が形成されている。
【００４３】
次に、液晶ディスプレイ５の構成を図２により説明する。図２は液晶ディスプレイ５の斜視分解組立図である。
【００４４】
図２の実施の形態において、液晶ユニット５１は表示部と枠板で一体に矩形に形成されており、この液晶ユニット５１は、その側面に突起部５１Ａ及び５１Ｃを相反するように一対有している。同様に、その側面に突起部５１Ｂ及び５１Ｄを相反するように一対有している。
【００４５】
これら突起部５１Ａ〜５１Ｄは、緩衝部材５５を挟むようにして保持するためのＵ字状に切り欠かれた溝５１１〜５１４が形成されている。
【００４６】
円筒状の緩衝部材５５は、その中心に段付きねじ５６の軸部が入るための貫通穴５５Ａが形成されている。そして、緩衝部材５５の外表面となる外周には、突起部５１Ａ〜５１Ｄに挟まれるための溝５５Ｂが形成されている。このように、緩衝部材５５を突起部５１Ａ〜５１Ｄに組み立てる際には、緩衝部材５５に形成されている溝５５Ｂに案内されて突起部５１Ａ〜５１Ｄに挟まれるので、組み立て容易となる。さらに、液晶ユニット５１がドアー３に組み立てられた状態では、衝撃や振動が液晶ユニット５１に直接伝達することを緩衝部材５５で緩和できる。
【００４７】
緩衝部材５５は天然ゴム又はクロロプレンラバーなどの合成ゴムで組成されており、突起部５１Ａ〜５１Ｄに緩衝部材５５の溝５５Ｂが弾性をもって挿入される。
【００４８】
溝５５Ｂの切り欠き幅Ｌ２は、突起部５１Ａ〜５１Ｄの厚さＴより僅かに小さくなっており、溝５５Ｂの外径は、溝５１１〜５１４の溝幅Ｗより僅かに小さくなっている。そして、緩衝部材５５は溝５１１〜５１４の側方から挿入するようにして取り付けられる。このように液晶ユニット５１における突起部５１Ａ〜５１Ｄに予め緩衝部材５５が挟まれているので、液晶ユニット５１をドアー３に組み立てる際には、組み立て容易となる。
【００４９】
段付きねじ５６における軸部の長さＬ３は、緩衝部材５５の全長Ｌ１より僅かに小さくなっており、緩衝部材５５が溝５１１〜５１４に挟まれて、後述する内枠５４に段付きねじ５６で固定する際に、緩衝部材５５が若干圧縮されてねじ止めされる。
【００５０】
内枠５４は鍔付きの箱形状になっており、透明部材５３（図１参照）が入る第１の凹部５４Ａが形成されている。凹部５４Ａの外壁に連続して、液晶ユニット５１が入るための第２の凹部５４Ｂが形成されている。
【００５１】
そして、凹部５４Ｂの中央には、液晶ユニット５１の裏面を目視できる開口部５４Ｃが形成されている。さらに、凹部５４Ｂの底面には段付きねじ５６の雄ねじに適合する雌ねじ５４１〜５４４が形成されている。
【００５２】
また、内枠５４の鍔部には、ドアー３（図１参照）の構成品となる外枠３１（後述する）に取り付けられるための穴５４５〜５４８が形成されており、さらに、透明部材５３を固定プレート５７（図３にて説明する）で止めるための雌ねじ５７１〜５７４が形成されている。内枠５４は、例えば、軽量のアルミニウム合金で一体に成形されている。
【００５３】
次に、液晶ディスプレイ５の取り付け構造における実施の形態を図３により説明する。図３は、液晶ディスプレイ５の部分断面組立図である。
【００５４】
ここで、図３における組み立て順序に基づいて液晶ディスプレイ５の取り付け構造を説明する。
【００５５】
まず、図２で示された緩衝部材５５を液晶ユニット５１の突起部５１Ａ〜５１Ｄに挟んでおき、液晶ユニット５１を内枠５４の凹部５４Ｂ内に段付きねじ５６で固定しておく。
【００５６】
次に、液晶ユニット５１が固定された内枠５４をドアー３（図１参照）の構成品となる外枠３１にねじ３３で固定する。次に、透明部材５３を凹部５４Ａにはめ込み、固定プレート５７をねじ３２でねじ止めすることにより、透明部材５３を内枠５４に保持する。
【００５７】
このように、透明部材５３を液晶ユニット５１の前面に配置することにより、液晶ユニット５１に物品が直接接触することを防止する。そして、透明部材なので、液晶ユニット５１の表示を妨げることがない。
【００５８】
ここで、透明部材５３はガラス板又はタッチパネルであり、ガラス板の場合は安価に部材が入手できる。タッチパネルの場合はスイッチの機能を付加することができる。
【００５９】
また、透明部材５３を内枠５４に保持するための固定プレート５７は、雌ねじ５７１〜５７４（図２参照）のそれぞれにねじ３２で１点止めされる４片としてもよく、固定プレート５７は、雌ねじ５７１及び５７２と雌ねじ５７３及び５７４にねじ３２で２点止めされる長尺の２片としてもよい。更には、固定プレート５７は矩形の外形を形成し、中央部が矩形に開口され、ねじ３２で４点止めされる一枚のプレートであってもよい。
【００６０】
透明部材５３の大きさに対応して、長尺の固定プレート５７の場合は３点止め、一枚の固定プレート５７の場合は６点止めとしてもよい。固定プレート５７は、透明部材５３を圧接して傷つけないように、例えば、硬質の合成樹脂材が好ましい。
【００６１】
そして、中央に開口部が形成されているカバー５２を外枠３１にねじ３３で固定する。このように、外枠３１にカバー５２を直接固定することによりベゼルなどを必要とせず、部品点数を少なくすることができる。
【００６２】
なお、カバー５２における透明部材５３との対向面には予め、防水ゴム５８が全周に亘り埋設されており、この防水ゴム５８は本来の防水機能の他に、透明部材５３に対する緩衝機能も働いている。
【００６３】
図３に示されるように、内枠５４を外枠３１に取り付けた状態においては、内枠５４と外枠３１は一体になって、ドアー３の枠体を形成しており、このように折り曲げ個所を多用することにより、ドアー３自体の重量や外部からの力によってその形状が、捩れたり、歪んだりすることを構造力学的に防止している。
【００６４】
そして、このドアー３に液晶ユニット５１を緩衝部材５５で弾性支持しているので、ドアー３を開閉するときの衝撃力によるエネルギーを緩衝部材で吸収して液晶ユニット５１に伝わるのを緩和できる。そして、液晶ユニット５１の破損を防止する。
【００６５】
さらには、図３に示された組み立て構造は、液晶ユニット５１を有する内枠５４や透明部材５３をドアー３の前面から組み立てることができ、組み立て容易性に優れている。
【００６６】
【発明の効果】
本発明によれば、「液晶ユニットは側面に少なくとも一つの突起部を有しており、緩衝部材は前記液晶ユニットの前記突起部に挟まれるようにして保持されており、枠体は内枠と外枠を有してドアーを構成しており、前記液晶ユニットを前記内枠に前記緩衝部材で弾性支持している」ので、ドアーを開閉するときの衝撃力によるエネルギーを緩衝部材で吸収して液晶ユニットに伝わるのを緩和できる。そして、液晶ユニットの破損を防止する。
【図面の簡単な説明】
【図１】本発明におけるスロットマシンの斜視図である。
【図２】本発明における液晶ディスプレイの斜視分解組立図である。
【図３】本発明における液晶ディスプレイの部分断面組立図である。
【図４】従来の表示部の要部断面図である。
【符号の説明】
１  スロットマシン
２  筐体
３  ドアー
４  トップフレーム
５  液晶ディスプレイ
６  操作部
７  扉体
３０  メダル受け皿
３１  外枠
３２  ねじ
３３  ねじ
５１  液晶ユニット
５１Ａ  突起部
５１Ｂ  突起部
５１Ｃ  突起部
５１Ｄ  突起部
５２  カバー
５３  透明部材
５４  内枠
５４Ａ  凹部
５４Ｂ  凹部
５４Ｃ  開口部
５５  緩衝部材
５５Ａ  貫通穴
５５Ｂ  溝
５６  段付きねじ
５７  固定プレート
５８  防水ゴム
５１１  溝
５１２  溝
５１３  溝
５１４  溝
【図１】
2004223173.tif 000003
【図２】
2004223173.tif 000004
【図３】
2004223173.tif 000005
【図４】
2004223173.tif 000006